(57)【要約】【課題】  光量制限を行うことなく利用者の不快感を軽減できる画像読取装置を提供する。【解決手段】  コンタクトガラス２に載置された原稿３をランプ４により照射し、その反射光を撮像素子６で読取り、読取られた読取値に基づいて、主走査方向における原稿３のサイズを判別する原稿読取装置であって、ランプ４に対向して設けられている反射板７ａ，７ｂからの反射光がコンタクトガラス２側に漏れないように、所定の間隙のスリット９ａを有する遮光板９を設ける。【選択図】      図１
2007006279.tif 000002
【特許請求の範囲】
【請求項１】
原稿台に載置された原稿を照射する照射手段と、
前記照射手段に対向して設けられ、前記照射手段からの照射光を前記原稿に反射させるための反射板と、
前記反射板からの反射光が前記原稿台側に漏れないように、前記原稿台の近傍に設けられる遮光板とを備える、画像読取装置。
【請求項２】
前記反射板は、前記照射手段を挟んで対向するように１対設けられており、
前記遮光板は、前記照射手段からの照射光を前記原稿に入射させ、前記原稿からの反射光を通過させるために、所定の間隙を有するスリットを含む、請求項１に記載の画像読取装置。
【請求項３】
前記遮光板は、前記原稿台の下面に近接して設けられる、請求項１または２に記載の画像読取装置。
【発明の詳細な説明】
【技術分野】
【０００１】
この発明は画像読取装置に関し、特に、原稿サイズを検出して原稿の画像読取を行う画像読取装置に関する。
【背景技術】
【０００２】
複写機や複合機などには、原稿の画像を読取るために図４に示すような画像読取装置が内蔵されている。図４（Ａ）に示す筐体１にはコンタクトガラス２が嵌め込まれており、このコンタクトガラス２上に原稿３が載置され、圧板８が閉じられて原稿３が浮き上がらないようにされる。筐体１内には、ランプ４と、ミラー５と、ＣＣＤなどの撮像素子６と、１対の反射板７ａ，７ｂとが配置されている。ランプ４はコンタクトガラス２を介して原稿３に光を照射する。
【０００３】
原稿３の反射光はミラー５で反射され、撮像素子６に導かれる。ランプ４とミラー５は図示しないスキャナ枠に配置されており、図示しない駆動部によりスキャナ枠が副走査方向（図４において左から右方向）に駆動されて原稿３の全体の画像の反射光が撮像素子６に導かれる。撮像素子６は原稿３からの反射光を光電変換し、副走査方向に直交する主走査方向ごとの画像信号を出力する。画像信号は、図示しない画像処理回路で画像処理が行われ、所望の出力媒体に出力される。１対の反射板７ａ，７ｂはランプ５から照射される光が拡散されることなく、原稿３に光を有効に導くためにランプ４を挟んで対向して設けられている。
【０００４】
原稿３の画像を読取る際に、コンタクトガラス２上に載置された原稿３のサイズを判定する必要がある。主走査方向および副走査方向の原稿サイズの判定は、撮像素子６で読取った画像信号を用いて行われるが、副走査方向の原稿サイズの判定は、副走査方向に複数設けたサイズセンサにより行われることもある。
【０００５】
図４（Ａ）に示した画像読取装置において、ガラスコンタクト２上に原稿３を載置し、スタートキーを操作した後、圧板８を閉じたとき、圧板８を閉じる直前に、主走査方向に関するサイズを判定するためにランプ４が点灯される。ランプ４の照射光は図４(Ｂ)に示すように、反射板７ｂ，７ａで反射され、予期せぬタイミングで利用者の目に入射されてしまうため、眩しく不快感を与えるという問題があった。
【０００６】
近年の高速化，高画質化を狙う画像読取装置では、光量が多くなり、また読取りのカラー化により光源の色が白色になって、いっそう目に付きやすく、不快感が増す要因になっていた。そこで、特開２００４−３２０７５号公報（特許文献１）には、光源の照射時間を必要最小限に減光して眩しさを軽減した画像読取装置について記載されている。
【特許文献１】特開２００４−３２０７５号公報（段落番号００４１，００４２、図９）
【発明の開示】
【発明が解決しようとする課題】
【０００７】
特許文献１に記載されている画像読取装置では、減光するための回路が必要になり、回路を設けるためにコストの上昇を招くことになる。
【０００８】
そこで、この発明の目的は、光量制限を行うことなく利用者の不快感を軽減できる画像読取装置を提供することである。
【課題を解決するための手段】
【０００９】
この発明は、原稿台に載置された原稿を照射する照射手段と、照射手段に対向して設けられ、照射手段からの照射光を原稿に反射させるための反射板と、反射板からの反射光が原稿台側に漏れないように、原稿台に設けられる遮光板を備える。
【００１０】
具体的な実施形態では、反射板は、照射手段を挟んで対向するように１対設けられており、遮光板は、照射手段からの照射光を原稿に入射させ、原稿からの反射光を通過させるために、所定の間隙を有するスリットを含む。
【００１１】
より好ましくは、遮光板は原稿台の下面に近接して設けられる。
【発明の効果】
【００１２】
この発明によれば、反射板からの反射光が原稿台側に漏れないように、原稿台に遮光板を設けたので、光が利用者の目に入るのが阻止され、光量制限を行うことなく利用者の不快感を軽減できる。しかも、遮光板を設けるだけでよいため、従来の構成を大幅に変える必要がなく、追加部品も最小限に抑えることができ、コストが上昇することもない。
【発明を実施するための最良の形態】
【００１３】
図１および図２は、この発明の一実施形態の画像読取装置を示す図であり、図１は原稿の読取状態を示し、図２は原稿の検知状態を示す。
【００１４】
図１に示すように、筐体１には、原稿台としてのコンタクトガラス２が嵌め込まれており、コンタクトガラス２上に原稿３を載置したときに、原稿３が浮き上がらないように圧板８が閉じられる。筐体１内には、前述の図４と同様にして照射手段としてのランプ４と、ミラー５と、撮像素子６と、反射板７ａ，７ｂと図示しないスキャン枠に設けられている。
【００１５】
なお、ランプ４と、ミラー５と、反射ミラー７ａ，７ｂとは、図示しないがスキャナ枠に組み込まれており、副走査方向に移動可能にされている。
【００１６】
ランプ４は例えばキセノン管が用いられる。キセノン管は、光の照射方向が一方方向（反射板７ａ方向）に決められており、反対側への照射は比較的少ない。従って、利用者の目に届く光は、ランプ４からの直接光よりはランプ４に対向して設けられている反射板７ａ，７ｂからの反射光が大半を占めている。
【００１７】
そこで、この発明の一実施形態では、主走査方向および副走査方向の原稿サイズの検知時に反射板７ａ，７ｂの反射光が利用者の目に入らないように、コンタクトガラス２の下面に所定の間隙９ａを有する遮光板９が近接して設けられる。遮光板９は、原稿サイズの検知時にはランプ４からの照射光が利用者の目に入射されず、原稿３の画像読取時には、ランプ４からの照射光が原稿３に照射され、その反射光がミラー５で反射されて撮像素子６に導かれるように、所定の間隙のスリット９ａを有して配置されている。
【００１８】
図３は、図１および図２に示した遮光板の配置寸法を説明するための図である。図３において、遮光板９は、スリット９ａのスリット幅ｔを隔てて配置されている。スリット幅ｔは、図１に示すように、ランプ４からの照射光を原稿に照射し、その反射光が通過してミラー５に導くために必要とされる。光軸はミラー５の中心を通る線であり、他方の遮光板９からｔ´隔てており、ｔ＝２×ｔ´で示される。
【００１９】
Ａは利用者の目と、設けようとしている遮光板９との高さの差であり、例えば６０〜７０ｃｍに選ばれる。Ｃは利用者が立っている場所から、遮光板９が設けられていない場合の漏れ光との交点までの距離であり、例えば３０〜４０ｃｍに選ばれる。ａは遮光板９と、反射板７ａの最も低い部分との高さの差である。ｃは反射板７ａの反射面と、遮光板９と漏れ光との交点までの距離である。ｄは反射板７ａの反射面から光軸までの距離である。
【００２０】
スリット幅ｔは、読取幅と機械精度の合計が最小幅になる。読取幅は２５．４ｍｍ（１インチ）÷読取解像度ｄｐｉで示され、例えば読取解像度が６００ｄｐｉの場合は、４２．３μｍになる。
【００２１】
機械精度は、画像読取装置を構成した場合の組立公差を考慮したマージンである。マージンは、製品構成や組立能力にもよるが、通常は光軸を中心にして左右に数ｍｍもあれば十分である。図３において、反射板７ａから距離ｃの位置に遮光板９ｂがなければ遮光することができない。従って、遮光板９ｂは、反射板７ａから距離ｃの位置にあり、かつ光軸が通らないようにするために、ｃ−ｄ＞ｔ´の位置に設ける必要がある。距離ｃは例えば１５〜２５ｍｍなどに選ばれる。
【００２２】
上述のごとく、この実施形態によれば、コンタクトガラス２の下面に遮光板９を配置したことにより、原稿サイズの検知時にランプ４からの照射光が遮光板９で遮られるので利用者の目に入射されることがなく、不快感を与えることがない。しかも、遮光板９を設けるだけでよいので、従来の構成を大幅に変える必要がなく、コスト的に上昇を招くことがない。
【００２３】
また、圧板８に代えて原稿自動読取装置を設けてもよい。
【００２４】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２５】
【図１】この発明の一実施形態の画像読取装置を示し、原稿読取状態を示す。
【図２】この発明の一実施形態の画像読取装置を示し、原稿サイズ検知状態を示す。
【図３】図１および図２に示した遮光板の配置寸法を説明するための図である。
【図４】従来の画像読取装置の概略の構成を示す図である。
【符号の説明】
【００２６】
１  筐体、２  コンタクトガラス、３  原稿、４  ランプ、５  ミラー、６  撮像素子、７ａ，７ｂ  反射板、８  圧板、９  遮光板、９ａ  スリット。
【図１】
2007006279.tif 000003
【図２】
2007006279.tif 000004
【図３】
2007006279.tif 000005
【図４】
2007006279.tif 000006